(57)【要約】      （修正有）【課題】保温、保湿、脱臭と磁場を高める効果を持ち、体内発汗作用を促す温熱床盤を提供する。【解決手段】温熱湯を通す銅管の径を大きくして粉炭、活性炭層内を銅管を通すことにより温熱湯を石油ボイラー等で循環させ、合わせて表層面に石英鉱石混入特殊タイルを敷設することにより遠赤外線、マイナスイオン効果も高めることが出来る。【選択図】図２
0003125389.tif 000002
【実用新案登録請求の範囲】
【請求項１】
粉炭、活性炭と石英鉱石特殊モルタル、銅管、温熱湯を組み合わせた床盤で個別に搬送、移動組み合わせできる可搬式又は移動式の温床用床盤。
【請求項２】
粉炭、活性炭と石英鉱石特殊モルタルを組み合わせ温熱を加えることにより、マイナスイオン、遠赤外線を発し粉炭、活性炭が床盤の保温、保湿、脱臭と磁場（マイナスイオン）を高める。断熱材を床盤下部、側面に組み合わせることで保温効果があり経済的で衛生的である。
【請求項３】
床盤銅管内に温熱湯を通すことでマイナスイオン、遠赤外線を発し横たわるか座ったりすることで、体の芯から温められ、強烈な発汗作用を促すことにより新陳代謝を活発にして血液の循環の改善、美肌効果、痩身効果、冷え性効果、癒し効果、温熱治療効果等で健康維持自然治癒増進の効果を得るシステム。
【考案の詳細な説明】
【技術分野】
【０００１】
本発明は、温熱床盤で体内発汗作用を促す
【０００２】
従来の温熱床盤には、温熱電気ヒータ叉は、ガス急騰温熱を用いたものがある。（特許文献第１８２３８４５号）
【０００３】
従来の温熱床盤について説明する。温熱電気ヒータ叉は、ガス急騰温熱を用いてセメントコンクリートで固めたものがある。（特許公開第２００１−９５８８９号）
【特許文献１】特許第１８２３８４５号
【特許文献２】特開２００１−９５８８９号
【考案の開示】
【考案が解決しようとする課題】
【０００４】
以上に述べた従来の温熱床盤では熱伝導はするが、保温、保湿、脱臭と磁場を高める効果がなかった。
【０００５】
本発明は、このような従来の構成が有していた問題を解決しょうとするものであり、保温、保湿、脱臭と磁場を高めることを目的とする。
【課題を解決するための手段】
【０００６】
そして、本発明は上記目的を達成する為に断熱材配設の中に銅管敷設し粉炭、活性炭層内の銅管内に専用ボイラーで循環給湯を可能にし、石英鉱石特殊保護モルタル層と石英鉱石混入特殊タイルを組み合わせたものである。
【考案の効果】
【０００７】
上述したように本発明の温熱床盤は、粉炭、活性炭層で保温、保湿、脱臭、磁場を高める効果があり使用する中で発汗作用に伴う汗臭いや高湿度違和感を解消することが出来る。
【考案を実施するための最良の形態】
【０００８】
以下、本発明の実施の形態を図１〜図５に基づいて説明する。
【０００９】
図において、３及び７は断熱材で保温力を保ち、１の特殊モルタル（粉炭、活性炭混入）で立ち上がり面を仕切る
【００１０】
６は温熱湯を通す銅管で作られており熱伝導効率が良くその周辺に２の粉炭、活性炭を敷き詰め層にする。
【００１１】
４の特殊モルタル（石英鉱石混入）の中に５のステンレスメッシュを敷き特殊モルタル層を強く保護する。
【００１２】
８の磁器タイル及び９の石英鉱石混入特殊タイルで表面仕上げする。
【００１３】
温熱湯を粉炭、活性炭層内の銅管に通すことで熱伝導、保温、保湿、脱臭、磁場を高
め特殊モルタル（石英鉱石混入）及び石英鉱石混入特殊タイルを表面に用いることで遠
赤外線、マイナスイオン効果が得られるものである。
【図面の簡単な説明】
【００１４】
【図１】本発明の実施形態を示す温熱床盤の平面図
【図２】温熱床盤の図１におけるＡ〜Ａ線断面図
【図３】温熱床盤の図１におけるＢ〜Ｂ線断面図
【図４】温熱床盤の図１における表面タイル仕上げ図
【図５】温熱床盤の図１における銅管配管図
【符号の説明】
【００１５】
１  特殊モルタル（粉炭、活性炭混入）
２  粉炭、活性炭混入
３  ウレタン断熱材（２０ｍｍ）
４  特殊モルタル（石英鉱石混入）
５  ステンレスメッシュ
６  銅管（Ф28ｍｍ）
７  ウレタン断熱材（５０ｍｍ）
８  磁器タイル
９  石英鉱石混入特殊タイル
【図１】
0003125389.tif 000003
【図２】
0003125389.tif 000004
【図３】
0003125389.tif 000005
【図４】
0003125389.tif 000006
【図５】
0003125389.tif 000007
【手続補正書】
【提出日】平成18年1月27日(2006.1.27)
【手続補正１】
【補正対象書類名】実用新案登録請求の範囲
【補正対象項目名】全文
【補正方法】変更
【補正の内容】
【実用新案登録請求の範囲】
【請求項１】
建築物の外部に石油ボイラーと循環ポンプを取り付け、温水管28ｍｍを接続し建築物の内部に設置した可搬式を特徴とする温熱床盤構造
【請求項２】
請求項１記載の温熱床盤には、最下部に断熱材５０ｍｍの層(7)、その上部側面に断熱材２０ｍｍ(3)、特殊モルタルの層(1)、とし、粉炭、活性炭を70ｍｍの層(2)、その中に銅管(28ｍｍ)を13ｃｍ間隔で埋設(6)、最上部には特殊モルタル(4)保護層構造を特徴とする。
【請求項３】
請求項２の保護モルタル層上部に磁器タイル(8)、石英鉱石特殊タイル(9)を組み合わせ、床盤内の銅管(28ｍｍ)に石油ボイラーと循環ポンプを用いて温熱湯を流し込み粉炭、活性炭を温め、表面温度を41℃に保つことを特徴とする請求項１記載の温熱床盤構造
【手続補正書】
【提出日】平成18年4月6日(2006.4.6)
【手続補正１】
【補正対象書類名】実用新案登録請求の範囲
【補正対象項目名】全文
【補正方法】変更
【補正の内容】
【実用新案登録請求の範囲】
【請求項１】
建築物の外部に石油ボイラーと循環ポンプを取り付け、温水管28ｍｍを接続し建築物の内部に設置した可搬式を特徴とする温熱床盤
【請求項２】
請求項１記載の温熱床盤には、最下部に断熱材５０ｍｍの層(7)、その上部側面に断熱材２０ｍｍ(3)、特殊モルタルの層(1)、とし、粉炭、活性炭を70ｍｍの層(2)、その中に銅管(28ｍｍ)を130ｃｍ間隔で埋設(6)、最上部には特殊モルタル(4)保護層構造を特徴とする請求項１記載の温熱床盤
【請求項３】
請求項２の特殊モルタル保護層上部に磁器タイル(8)、石英鉱石特殊タイル(9)を組み合わせ、床盤内の銅管(28ｍｍ)に石油ボイラーと循環ポンプを用いて温熱湯を流し込み粉炭、活性炭を温め、表面温度を40〜43℃に保つことを特徴とする請求項１記載の温熱床盤
【手続補正書】
【提出日】平成18年7月6日(2006.7.6)
【手続補正１】
【補正対象書類名】実用新案登録請求の範囲
【補正対象項目名】全文
【補正方法】変更
【補正の内容】
【実用新案登録請求の範囲】
【請求項１】
建築物の外部に石油ボイラーと循環加圧ポンプを取り付け、温水銅管28ｍｍで配管接続し建築物の内部で一床単位に銅管を縦列配管、その周りに粉炭、活性炭を敷き詰め、鉱石特殊モルタルで保護した層上に鉱石特殊タイルを設置、石油ボイラーの温熱湯を循環させる可搬式を特徴とする温熱床盤
【請求項２】
請求項１記載の温熱床盤には、最下部に断熱材５０ｍｍの敷層(7)、その上部側面に断熱材２０ｍｍ縦層(3)、鉱石特殊モルタルの縦保護層(1)、とし、粉炭、活性炭を70ｍｍ敷き詰め層(2)、その中に銅管(28ｍｍ)を130ｃｍ間隔で縦列（６列）敷設(6)、上部には保護特殊モルタル(4)構造を特徴とする請求項１記載の温熱床盤
【請求項３】
請求項２の特殊モルタル保護層上部に磁器タイル(8)、石英鉱石特殊タイル(9)を組み合わせ、床盤内の銅管(28ｍｍ)に石油ボイラーと循環加圧ポンプを用いて温熱湯を通し粉炭、活性炭を温め、表面温度を48〜55℃に保つことを特徴とする請求項１記載の温熱床盤